【事件の表示】
　上記当事者間の登録第５２６２９５９号商標の商標登録無効審判事件について、次のとおり審決する。
【結　論】
　本件審判の請求は、成り立たない。
　審判費用は、請求人の負担とする。
【理　由】
１　本件商標 
　本件登録第５２６２９５９号商標（以下「本件商標」という。）は、別掲（１）の構成よりなり、平成２０年６月２日に登録出願、第３類「せっけん類，水溶性の化粧品，香料類」を指定商品として、同２１年７月２８日に登録査定、同年９月４日に設定登録されたものである。 
 　 
２　請求人の引用する商標
　請求人は、本件商標の登録の無効の理由に以下の８件の商標を引用している（以下、これらの商標を総称するときは「引用各商標」という。）。
（１）登録第２２１９２３１号商標（以下「引用商標１」という。）は、「ＬＯＶＥ」の文字を横書きしてなり、昭和４６年８月５日に登録出願、第４類に属する商標登録原簿に記載の商品を指定商品として、平成２年３月２７日に設定登録され、その後、同１２年５月２３日及び同２２年２月２日の２回にわたり、商標権の存続期間の更新登録がされ、さらに、同年４月２１日に、指定商品を第３類「化粧品，歯磨き，香料類，薫料」とする指定商品の書換の登録がされたものである。
　
（２）登録第２２１９２３２号商標（以下「引用商標２」という。）は、「ラブ」の文字を横書きしてなり、昭和４６年８月５日に登録出願、第４類に属する商標登録原簿に記載の商品を指定商品として、平成２年３月２７日に設定登録され、その後、同１２年５月２３日及び同２２年２月２日の２回にわたり、商標権の存続期間の更新登録がされ、さらに、同年４月２１日に、指定商品を第３類「化粧品，歯磨き，香料類，薫料」とする指定商品の書換の登録がされたものである。
　
（３）登録第２４３１６１７号商標（以下「引用商標３」という。）は、別掲（２）のとおり、「Ｌｏｖｅ」の文字（筆記体）と「ラブ」の文字を二段に横書きしてなり、昭和４８年５月１０日に登録出願、第４類に属する商標登録原簿に記載の商品を指定商品として、平成４年７月３１日に設定登録され、その後、同１４年５月２８日に商標権の存続期間の更新登録がされ、さらに、同１６年３月３日に、指定商品を第３類「歯みがき，化粧品，香料類，薫料」及び第３０類「食品香料（精油のものを除く。）」とする指定商品の書換の登録がされたものである。　
　
（４）登録第４２７７２８０号商標（以下「引用商標４」という。）は、別掲（３）のとおり、やや図案化された「Ｌｏｖｅ」の文字よりなり、平成９年１２月２２日に登録出願、第３類「歯みがき，化粧品，香料類」を指定商品として、同１１年５月２８日に設定登録され、その後、同２１年２月２４日に商標権の存続期間の更新登録がされたものである。
　　
（５）登録第４５２２９７６号商標（以下「引用商標５」という。）は、「ラブ」の文字と「ＬＯＶＥ」の文字を二段に横書きしてなり、平成１３年１月９日に登録出願、第３類「歯みがき，化粧品，香料類」を指定商品として、同年１１月１６日に設定登録されたものである。
　
（６）登録第５０９５７６８号商標（以下「引用商標６」という。）は、別掲（４）のとおり、「ＬＯＶＥ」の文字を横書きしてなり、平成１８年４月１８日に登録出願、第３類「化粧品，歯磨き，香料類」を指定商品として、同１９年１１月３０日に設定登録されたものである。
　
（７）商願２００７−６５５６１に係る商標（以下「引用商標７」という。）は、「ＬＯＶＥ」の文字を標準文字で表してなり、第３５類「化粧品の小売又は卸売の業務において行われる顧客に対する便益の提供」を指定役務として、平成１９年６月２５日に商標登録出願されたものであり、現在、審査に係属中のものである。
　　　
（８）商願２００８−７０６０に係る商標（以下「引用商標８」という。）は、「Ｌｏｖｅ」の文字を横書きしてなり、第３類「化粧品，香料類，歯磨き」を指定商品として、平成２０年２月１日に商標登録出願されたものであり、現在、審査に係属中のものである。
　　
３　請求人の主張 
　請求人は、本件商標の指定商品中「水溶性の化粧品」についての登録を無効とする、審判費用は被請求人の負担とするとの審決を求め、その理由を要旨次のように述べ、証拠方法として、甲第１号証ないし甲第２６号証を提出した。 
　本件商標と類似し、かつ、本件商標の指定商品と同一又は類似の商品に使用する先行登録商標または先行商標登録出願が存在するため、本件商標は、商標法第４条第１項第１１号に該当し、同法第４６条第１項第１号により登録無効とされるべきである。
（１）引用各商標について
　引用各商標からは、その構成文字に対応して「ラブ」の称呼が生じることは明らかである。
　　　　　
（２）本件商標について
　本件商標の構成中「ＷＡＴＥＲ」、「ウォーター」の文字は、後述するように、本件商標の指定商品中「化粧品」との関係で、「水状の、水溶性の」等の意味を有する商品の品質ないし原材料を表示する文字であって品質表示的な語であるから、本件商標は、品質表示的な語と識別力を有する語との結合商標であるといえる。
　　　　　　　　
（３）結合商標の類否について
　結合商標の類否について、特許庁商標課編「商標審査基準」における商標法第４条第１項第１１号の解説では、「形容詞的文字（商品の品質、原材料等を表示する文字、又は役務の提供の場所、質等を表示する文字）を有する結合商標は、原則として、それが付加結合されていない商標と類似する。」旨明示されている。
　これは、形容詞的文字は、識別力のない部分であり、それ以外の識別力がある部分をもって需要者・取引者に認識され、称呼されるからである。
　本件商標の場合、「ＷＡＴＥＲ」、「ウォーター」は、まさに「形容詞的文字（商品の品質、原材料等を表示する文字）」に該当する。
　してみれば、本件商標は、当該審査基準でいうところの「形容詞的文字を有する結合商標」といえる。
　なお、当該審査基準では、「原則として」とあり、例外もあることになるが、それは、結合商標が全体として一つ一つの要素を組み合わせただけとは異なる別個の観念を生じるような特別な場合をいうと考えられる。
　商標権者は、審査段階で提出した意見書（甲第９号証）において、本件商標は全体として「愛の水」の観念が生じる旨述べているが、これは単に「ＬＯＶＥ」、「ラブ」＝「愛」と「ＷＡＴＥＲ」、「ウォーター」＝「水」を組み合わせたにすぎず、別個の観念を生じているわけではない。
　以上の理由により、本件商標は、審査基準に則り、形容詞的文字が付加結合されていない引用各商標と類似すると判断されるべきである。
　したがって、本件商標は、商標法第４条第１項第１１号に該当し、同法第４６条第１項第１号により登録無効とされるべきである。
　　　　　
（４）「ＷＡＴＥＲ」、「ウォーター」の品質表示性について
　化粧品を取り扱う業界において、「ＷＡＴＥＲ」の文字及び「ウォーター」の文字が「水状の化粧品」等の商品の品質を意味するものとして商品の一部に広く用いられていることは、以下の証拠に示すとおり、顕著な事実である。
　甲第１０号証は常盤薬品の化粧品「ノブ」の化粧水が「ノブウォーター」と使用されている例であり、甲第１１号証は「アベンヌ」の化粧水が「アベンヌ　ウォーター」と使用されている例であり、甲第１２号証は資生堂の化粧水が「フィトウオーター」と使用されている例であり、甲第１３号証はマードゥレクスの化粧品「エクスボーテ」の化粧水が「セラムウォーター」と使用されている例であり、甲第１４号証は「ユリアージ」の化粧水が「ユリアージ　ウォーター」と使用されている例であり、甲第１５号証はコーセーの化粧水が「アクアライブウォーター」と使用されている例であり、甲第１６号証はカネボウ化粧品の化粧水が「ビタチャージウォーター」と使用されている例である。
　また、インターネット検索エンジンＧｏｏｇｌｅにおいて、「化粧」と「ウォーター」をキーワードに検索したところ（「ウォータープルーフ（耐水）」については、雑音として除去した。）、２５９万件のヒットが確認された（甲第１７号証）。
　これらの使用事実及び検索結果からも、「ウォーター」の語が、水溶性の化粧品を意味する語として極めて広く使用されていることは明らかであり、化粧品との関係において「ウォーター」が品質表示的な語であることも明らかである。
　　
（５）査定・審決例について
　「ＷＡＴＥＲ」、「ウォーター」が品質表示的な語で識別力がないことを理由に、「○○＋ＷＡＴＥＲ」及び「○○＋ウォーター」と「〇○」とが類似と判断された査定・審決例を挙げると、以下のとおりである。
　甲第２０号証は「ラブウォーター」に対して「ラブ」等が引用された例、甲第２１号証は「Ｐｅａｒｌ　Ｗａｔｅｒ」に対して「ＰＥＡＲＬ」等が引用された例、甲第２２号証は「プレシャスウォーター」に対して「Ｐｒｅｃｉｏｕｓ」等が引用された例、甲第２３号証は「Ｒｅｉｎａｓｃｅｎｔｅ」、「ｉ」、「ｗａｔｅｒ」に対して「ＲＥＮＡＳＣＥＮＴ」等が引用された例、甲第２４号証は「ＡＣＴＩＶＥ　ＷＡＴＥＲ」に対して「ＡＣＴＩＶＥ」が引用された例、甲第２５号証は「Ｔｈｅ　Ｓｏｕｌ　Ｗａｔｅｒ」に対して「ＳＯＵＬ」が引用された例である。
　　
（６）むすび
　以上のとおり、本件商標の構成中「ＷＡＴＥＲ」、「ウォーター」は、品質表示的な語であって識別力がなく、本件商標の識別力を発揮する部分は「ラブ」にあるため、本件商標に接した需要者・取引者は、本件商標を単に「ラブ」と認識し、称呼する場合があることは明らかである。
　よって、本件商標は、引用各商標と類似し、本件商標が商標法第４条第１項第１１号に該当するものであり、同法第４６条第１項第１号により登録無効とされるべきである。
　よって、請求の趣旨どおりの審決を求める。 
　
４　被請求人の答弁 
　被請求人は、結論同旨の審決を求めると答弁し、その理由を要旨以下のように述べ、証拠方法として、乙第１号証ないし乙第２５号証を提出した。
（１）結合商標の類否について
　本件商標は、アルファベット文字「ＬＯＶＥ　ＷＡＴＥＲ」と片仮名文字「ラブウォーター」とを上下２段に横書きした構成であり、下段の片仮名文字は、上段の読み方を特定したものである。また、構成文字は、同じフォント、同じサイズで外観上一体化されており、これより生ずる「ラブウォーター」の称呼も格別長いものではなく、一連に称呼できるものである。
　これは、「ＬＯＶＥ」、「ラブ」の標章がきわめてよく知られている英語であり、また、市場において「ＬＯＶＥ」、「ラブ」を含む商品名やブランド名等が多数存在する以上、もはや「ＬＯＶＥ」、「ラブ」のみの使用では、他社との識別力は弱く、「ＬＯＶＥ」、「ラブ」を含んだ名称にして初めて識別力が生じるものと考えてのことである。
　そして、「ＬＯＶＥ」には、「愛、愛情、恋愛、好意」等の意味が生じ、「ＷＡＴＥＲ」には、上位の意味として「水」が挙がっている以上、明確に「愛の水」の観念を生じるものである。
　よって、「ＬＯＶＥ　ＷＡＴＥＲ」、「ラブウォーター」に対して、「ラブ」のみの称呼、観念が生じるとの主張は、妥当ではなく、本件商標は、商標法第４条第１項第１１号に該当しないものである。
　　
（２）「ＷＡＴＥＲ」、「ウォーター」の品質表示性について
　請求人は、「ＷＡＴＥＲ」、「ウォーター」が品質表示的であることをもって形容詞的文字に当たるため、その部分に識別力がなく、「ラブ」のみの称呼、観念が生じる旨主張しているが妥当ではない。
　結合商標において、品質表示的あるいは形容詞的文字に当たる部分があれば、その部分は常に必ず識別力が無いものとするとは審査基準には謳われてはいない。いいかえれば、仮に、品質表示的な表記が含まれる場合があったとしても、外観、称呼及び観念のそれぞれの判断要素を総合的に考察することが大原則であり、その結果、非類似になる商標や登録になる商標が有り得るといえる。
　　　
（３）査定・審決例について
　請求人は、査定・審決例を挙げて、「○○＋ＷＡＴＥＲ」及び「○○＋ウォーター」は「○○」と省略して認識、称呼され、「○○」とは類似と判断される旨主張している。
　しかしながら、実際には、「○○」と「○○＋ＷＡＴＥＲ」及び「○○＋ウォーター」の両商標が登録査定を受けたものが多数確認できる。
　最近の登録例を挙げると、以下の乙第１号証ないし乙第２５号証のとおりである。
　そうとすれば、他に「ＷＡＴＥＲ」、「ウォーター」に全く識別力が無いと言い切れるだけの格段の事情でもない限り、「ＬＯＶＥ　ＷＡＴＥＲ」「ラブウォーター」全体をもって１つの商標として認識され、「ラブウォーター」の称呼を生ずるとみるのが自然であるから、本件商標は、商標法第４条第１項第１１号に該当しないものである。
　　
（４）むすび
　以上のとおり、上記に述べた理由等を総合的に判断すれば、本件商標と引用各商標とは、外観、称呼、観念のいずれの点からみても、非類似の商標というべきである。
 
５　当審の判断 
　請求人は、本件商標の登録が商標法第４条第１項第１１号に違反してされたものである旨主張しているので、この点について判断する。
（１）本件商標について
　本件商標は、別掲（１）に示したとおり、上段に「ＬＯＶＥ ＷＡＴＥＲ」の欧文字を大きく表し、下段にやゝ小さく「ラブ ウォーター」の片仮名文字を表してなるところ、これを構成する「ＬＯＶＥ」と「ＷＡＴＥＲ」の文字との間には、半文字程度の間隔が設けられており、また、「ラブ」と「ウォーター」の文字との間には、一文字程度の間隔が設けられてはいるが、いずれも、いずれか一方を強調するような構成態様ではなく、同じ書体、同じ大きさの文字をもって、まとまりよく一体的に書されているものであって、それぞれの各構成文字より生ずる「ラブウォーター」の称呼も格別冗長というべきものではなく、よどみなく一気一連に称呼し得るものである。
　そして、本件商標を構成する「ＬＯＶＥ」、「ラブ」及び「ＷＡＴＥＲ」、「ウォーター」の各語についてみるに、「ＬＯＶＥ」、「ラブ」の語は、「愛、愛情、恋愛」等の意味を表す語として広く知られている英単語（外来語）であるところ、例えば、株式会社三省堂発行のコンサイスカタカナ語辞典第３版（２００５年１０月２０日発行）には、「ラブシーン〔ｌｏｖｅ　ｓｃｅｎｅ〕」、「ラブストーリー〔ｌｏｖｅ　ｓｔｏｒｙ〕」、「ラブソング〔ｌｏｖｅ　ｓｏｎｇ〕」、「ラブレター〔ｌｏｖｅ　ｌｅｔｔｅｒ〕」、「ラブロマンス〔ｌｏｖｅ　ｌｏｍａｎｃｅ〕」のような様々な熟語が掲載されているように、「ＬＯＶＥ」、「ラブ」の語は、他の語と結合して熟語を形成し易い語であるということができる。
　また、「ＷＡＴＥＲ」、「ウォーター」の語は、その語意の一つとして「化粧水」の意味合いがあるとしても、一義的には、「水」の意味を表す語として広く知られ、親しまれて用いられている英単語（外来語）である。
　そうとすれば、本件商標は、「ＬＯＶＥ」、「ラブ」の語と「ＷＡＴＥＲ」、「ウォーター」の語とが一体的に表されているものであり、「ＷＡＴＥＲ」、「ウォーター」の文字部分をもって特定の商品又は商品の品質等を具体的に表示したものと直ちに理解し得るものともいい難いところである。
　してみれば、本件商標は、その構成全体をもって、「愛の水」の如き熟語的な意味合いを無理なく理解・認識させる一体不可分の合成語を表したものと認識し把握されるとみるのが自然であり、「ＬＯＶＥ」、「ラブ」の文字部分のみが分離・抽出され、取引に供されることはないものというべきである。
　したがって、本件商標は、該構成文字全体に相応して「ラブウォーター」の称呼のみを生じ、「愛の水」の如き観念のみを生ずるものであって、単に「ラブ」の称呼及び「愛、愛情、恋愛」等の観念を生ずることはないものといわなければならない。
　
（２）引用各商標について
　引用各商標は、前記２に示したとおり、その構成態様は様々であるが、「ＬＯＶＥ」、「Ｌｏｖｅ」の欧文字や「ラブ」の片仮名文字あるいはそれらを組み合わせた構成からなるものであるから、いずれも、その構成文字に相応して「ラブ」の称呼を生じ、「愛、愛情、恋愛」等の観念を生ずるものということができる。
　
（３）本件商標と引用各商標との類否について
　そこで、本件商標から生ずる「ラブウォーター」の称呼と引用各商標から生ずる「ラブ」の称呼とを比較するに、両者は、「ラブ」の音部分を共通にするとしても、「ウォーター」の音の有無という音構成上の明らかな差異を有するものであるから、それぞれを一連に称呼するも、その音構成及び音数の差により称呼上十分に区別し得るものである。
　そして、上記したとおり、本件商標からは「愛の水」の如き観念を生ずるのに対して、引用各商標からは「愛、愛情、恋愛」等の観念を生ずるものであるから、観念についても十分に区別し得るものであり、また、前記した構成よりして、外観においても十分に区別し得る差異を有するものである。
　してみれば、本件商標と引用各商標とは、外観、称呼及び観念のいずれの点においても相紛れるおそれのない非類似の商標といわなければならない。　
（４）請求人の主な主張について
ア　請求人は、甲第１０号証ないし甲第１６号証を挙げて、化粧品を取り扱う業界において、「ＷＡＴＥＲ」、「ウォーター」の語が「水状の化粧品」等の商品の品質を意味するものとして商品の一部に広く用いられている旨主張している。
　確かに、上記甲号証の中には、「ＷＡＴＥＲ」、「ウォーター」の語（文字）が「化粧水」の意味合いを表すものとして用いられている事例のあることは、否定しない。
　しかしながら、甲第１０号証の「ノブウォーター」の商品説明中の商品の成分表示には、「水、濃縮海水」の表示があり、甲第１１号証の「アベンヌウオーター」の商品説明中には、「南フランス生まれのアベンヌ温泉水１００％」として「世界でも有数の複雑な地層を持つ南フランス、セベンヌ山脈麓のアベンヌ村に、大地のミネラルをたっぷり含みながら４０年以上の時間をかけて、地上に湧き出るアベンヌ温泉水を１００％使用。・・・アベンヌウオーターは、アベンヌ温泉水の源泉から直接つながるアベンヌ工場の無菌室でボトリングされます。・・・」と記載されており、甲第１２号証の「ナチュラルズ　フィトウオーターＦ」の商品説明中には、「ナチュラルズは、植物の力を合わせ、変化する肌にうるおいを補給し、コンディションをととのえます。肌にキレイを補給するフィト（植物）サプリメント・・・みずみずしいうるおいを肌に満たし、肌環境をととのえる植物うるおい補給水」と記載されており、甲第１４号証の「ユリアージ　ウォーター」の商品説明中には、「７５年の歳月をかけて湧き出る温泉水を源泉からそのままボトルにつめたユリアージ温泉水１００％のスプレータイプの化粧水です。」と記載されている。
　これらの記載からみれば、請求人が挙げている事例においてさえ、「ＷＡＴＥＲ」、「ウォーター」の語が常に必ずしも「化粧水」の意味合いのみを表すものとして用いられているとは限らないものといわなければならない。
　また、請求人は、インターネット検索エンジンＧｏｏｇｌｅにおいて、「化粧」と「ウォーター」をキーワードに検索したところ２５９万件のヒットが確認された旨述べているが、それは、あくまでも「化粧」や「ウォーター」のワードあるいは、それらを含めたワードが２５９万件検索されたというにとどまるものであって、２５９万件のヒットがあったからといって、そのことから直ちに、「ＷＡＴＥＲ」、「ウォーター」の語が「化粧水」の意味合いのみを示すことの証左となるものとはいえない。
　
イ　請求人は、「○○＋ＷＡＴＥＲ」及び「○○＋ウォーター」の文字からなる商標と「○○」の文字からなる商標とが類似と判断された査定・審決例（甲第２０号証ないし甲第２６号証）を挙げて、「ＷＡＴＥＲ」、「ウォーター」の語（文字）は品質表示的な語であって識別力がない旨主張している。　
  確かに、請求人が挙げているような査定・審決例のあることは否定できないが、それらは、審査あるいは審判においてなされた判断の一事例である。
　しかも、請求人が挙げている事例がある一方において、「○○＋ＷＡＴＥＲ」及び「○○＋ウォーター」の文字からなる商標と「○○」の文字からなる商標とが区別されて併存している事例も数多く存在している（乙第１号証ないし乙第２５号証）。
　そうとすれば、そもそも、商標の判断は、それぞれの事案に応じて、個別具体的な事情をも勘案して総合的に判断されるべきものであるから、請求人が提出しているような事例が存在しているからといって直ちに、「ＷＡＴＥＲ」、「ウォーター」の語には識別力がないとか、「ＷＡＴＥＲ」、「ウォーター」の語を含む商標は常に「ＷＡＴＥＲ」、「ウォーター」の文字部分を分離して判断されるということにはならないものといわなければならない。
　してみれば、請求人の主張は、いずれも採用することはできない。
　
（５）むすび
　以上のとおり、本件商標の登録は、本件商標の指定商品中の「水溶性の化粧品」について、商標法第４条第１項第１１号に違反してされたものではないから、商標法第４６条第１項の規定により、その登録を無効とすることはできない。
　よって、結論のとおり審決する。